(57)【要約】【課題】使用上の利便性を損なうことなく消費電力を抑制することができる画像表示装置を提供する。【解決手段】ＬＥＤで構成されたＬＥＤ光源２１を備え、入力される画像信号に基づいて生成された画像を投影して表示する画像表示装置１であって、画像信号を入力するビデオプラグ２の有無を検知するプラグ検知回路１１がビデオプラグ２のないことを検知したとき、プラグ検知回路１１の出力に基づいてＬＥＤ光源２１を消灯させる。【選択図】図１
2010008452.tif 000002
【特許請求の範囲】
【請求項１】
ＬＥＤで構成された投影用光源を備え、入力される画像信号に基づいて生成された画像を投影して表示する画像表示装置であって、
前記画像信号を入力する入力プラグの有無を検知するプラグ検知手段と、
前記プラグ検知手段が前記入力プラグのないことを検知したとき、前記プラグ検知手段の出力に基づいて前記投影用光源の出力を制限する制御手段と
を備えることを特徴とする画像表示装置。
【請求項２】
前記プラグ検知手段によって前記入力プラグのないことが検知されたとき、前記制御手段は前記画像を投影するための画像処理手段の少なくとも一部を省電力状態とすることを特徴とする請求項１記載の画像表示装置。
【請求項３】
ＬＥＤで構成された投影用光源を備え、入力される画像信号に基づいて生成された画像を投影して表示する画像表示装置であって、
入力した前記画像信号の同期状態に基づいて前記画像信号の有効・無効を判断する判断手段と、
前記判断手段が前記画像信号を無効と判断したとき、前記判断手段の出力に基づいて前記投影用光源の出力を制限する制御手段と
を備え、
前記判断手段による前記画像信号が無効であるとの判断が所定回数繰り返されたとき、前記制御手段は、前記投影用光源の出力を制限することを特徴とする画像表示装置。
【請求項４】
前記判断手段による前記画像信号が無効であるとの判断が所定回数繰り返されたとき、前記制御手段は前記画像を投影するための画像処理手段の少なくとも一部を省電力状態とすることを特徴とする請求項３記載の画像表示装置。
【発明の詳細な説明】
【技術分野】
【０００１】
この発明は画像表示装置に関する。
【背景技術】
【０００２】
従来、ビデオカメラから出力される映像信号に基づく画像や、メモリカードに記録される画像データに基づく画像等を投影可能な投射型表示装置が知られている（下記公報参照）。  この投射型表示装置では、メモリカードが装着されていない場合や、ビデオカメラから映像信号が出力されていない場合、投射型表示装置内部のランプは自動的に消灯され、ビデオカメラから映像信号が出力されるか、メモリカードが装着されると、ランプが自動的に点灯して画像がスクリーン上に投影される。
【特許文献１】特開２００１−１３３８８０号公報
【発明の開示】
【発明が解決しようとする課題】
【０００３】
しかし、上記投射型表示装置には、ランプとして高圧放電ランプ等の放電型ランプが用いられている。放電型ランプの点灯開始から十分な明るさで安定した点灯状態になるまでに長い時間（例えば数十秒程度）を要する上、ランプを一旦消灯した後に再点灯するにはランプの寿命の観点からランプ消灯後数十秒程度ランプをファン等により冷却する必要がある。そのため、上記投射型表示装置ではランプを消灯した直後に画像信号が入力されてもすぐにランプの点灯、すなわち画像の投影を行うことができず、そのことが上記投射型表示装置の使用上の大きな問題となっていた。投射型表示装置の使用上の利便性を損なわ
ないようにするためには、画像信号の入力の有無に拘らずランプの輝度が低下しないように常に所定の電力をランプに供給すればよいが、消費電力が増大するという問題がある。特に、電源として電池を用いるハンディタイプの投射型表示装置にとって消費電力の増大は大きな問題である。
【０００４】
この発明はこのような事情に鑑みてなされたもので、その課題は使用上の利便性を損なうことなく消費電力を抑制することができる画像表示装置を提供することである。
【課題を解決するための手段】
【０００５】
上記課題を解決するため請求項１記載の発明は、ＬＥＤで構成された投影用光源を備え、入力される画像信号に基づいて生成された画像を投影して表示する画像表示装置であって、前記画像信号を入力する入力プラグの有無を検知するプラグ検知手段と、前記プラグ検知手段が前記入力プラグのないことを検知したとき、前記プラグ検知手段の出力に基づいて前記投影用光源の出力を制限する制御手段とを備えることを特徴とする。
【０００６】
請求項２に記載の発明は、請求項１記載の画像表示装置において、前記プラグ検知手段によって前記入力プラグのないことが検知されたとき、前記制御手段は前記画像を投影するための画像処理手段の少なくとも一部を省電力状態とすることを特徴とする。
【０００７】
請求項３に記載の発明は、ＬＥＤで構成された投影用光源を備え、入力される画像信号に基づいて生成された画像を投影して表示する画像表示装置であって、入力した前記画像信号の同期状態に基づいて前記画像信号の有効・無効を判断する判断手段と、前記判断手段が前記画像信号を無効と判断したとき、前記判断手段の出力に基づいて前記投影用光源の出力を制限する制御手段とを備え、前記判断手段による前記画像信号が無効であるとの判断が所定回数繰り返されたとき、前記制御手段は、前記投影用光源の出力を制限することを特徴とする。
【０００８】
請求項４に記載の発明は、請求項３記載の画像表示装置において、前記判断手段による前記画像信号が無効であるとの判断が所定回数繰り返されたとき、前記制御手段は前記画像を投影するための画像処理手段の少なくとも一部を省電力状態とすることを特徴とする。
【発明の効果】
【０００９】
この発明によれば、画像表示装置の使用上の利便性を損なうことなく消費電力を抑制することができる。
【発明を実施するための最良の形態】
【００１０】
以下、この発明の実施の形態を図面に基づいて説明する。
【００１１】
図１はこの発明の第１実施形態に係る画像表示装置１の構成を示すブロック図、図２は画像表示装置１の使用状態を示す斜視図である。
【００１２】
画像表示装置１は主制御部であるＣＰＵ（制御手段）１０を備えている。ＣＰＵ１０には、ビデオプラグ検出回路（プラグ検知手段）１１、電源モジュール１４のオン・オフを行うメインスイッチ１２、電源モジュール１４がオンの状態にあることを表示する表示部（表示手段）１３、投影用光源駆動回路１５、投影光学系２０、ビデオ信号変換回路（判断手段）１６、画像表示ドライバ１７が接続されている。また、ＣＰＵ１０は後述する画像無効信号をカウントする無効回数計測用カウンタ（アップカウンタ（図示せず））を有する。
【００１３】
ＣＰＵ１０はメインスイッチ１２が押されたとき、電源起動信号１０ａを出力して電源モジュール１４を起動させるとともに、表示指示信号１０ｂを出力して表示部１３を点灯させる。表示部１３は例えばＬＥＤで構成されている。また、ＣＰＵ１０はビデオ信号変換回路１６の出力に基づいてＬＥＤ光源（投影用光源）２１の出力を制御する。
【００１４】
ビデオプラグ検出回路１１は、画像信号を外部から入力するビデオプラグ（入力プラグ）２（図２参照）が画像表示装置１に装着されたとき、ビデオプラグ検出信号１１ａをＣＰＵ１０に出力する。
【００１５】
投影用光源駆動回路１５はＣＰＵ１０からのＬＥＤ光源２１の点灯を制御するＬＥＤ点灯制御信号１０ｃに基づいてＬＥＤ光源２１への電力供給を制御して、ＬＥＤ光源２１の点灯及び消灯を行う。
【００１６】
ビデオ信号変換回路１６はＣＰＵ１０からの制御信号１０ｄを入力すると、入力した画像信号１１ｂの同期の状態から画像信号１１ｂが有効であるか無効であるかを判断し、画像有効/無効信号１６ａをＣＰＵ１０へ出力する。画像信号１１ｂには画像信号の走査タイミングを規定する各種同期信号（水平同期信号や垂直同期信号等）が含まれている。ビデオ信号変換回路１６からＣＰＵ１０への画像有効／無効信号１６ａの伝送は、専用の信号ライン、シリアル通信等で行うこともできる。ビデオプラグ２を介して外部からビデオ信号変換回路１６に画像信号１１ｂが入力されていても、同期がとれない場合は画像として成立しないので、画像無効信号１６ａがＣＰＵ１０へ出力され、カウンタで計測される。
【００１７】
また、ビデオ信号変換回路１６では画像信号１１ｂはＡ／Ｄ変換され、デジタルの画像信号１６ｂとして画像表示ドライバ１７へ出力される。
【００１８】
画像表示ドライバ１７はＣＰＵ１０からの制御信号１０ｅを入力すると、ビデオ信号変換回路１６から出力された画像信号１６ｂに応じて、画像表示素子２２を駆動するための画像信号１７ｃを生成する。
【００１９】
投影光学系２０はＬＥＤ光源２１と画像表示素子２２と投影レンズ（図示せず）とを備えている。
【００２０】
ＬＥＤ光源２１は、放電型光源ランプに比べて、電源を含めて小型化が可能である上、瞬時点灯・瞬時消灯が可能であること、輝度変更を短時間に繰り返しても光源に対する負荷が小さく安定な発光が可能であること、長寿命であること等、画像表示装置の光源として多くの利点がある。
【００２１】
画像表示素子２２は例えば液晶ライトバルブであり、画像表示素子２２はＣＰＵ１０からの制御信号１０ｆを入力すると、ＬＥＤ光源２１から射出された光を画像信号１７ｃに基づいて変調することにより、画像信号１７ｃに応じた光学像を形成する。画像表示素子２２で形成された光学像は投影レンズ（図示せず）によってスクリーン５等に拡大投影される（図２参照）。
【００２２】
なお、ビデオ信号変換回路１６、画像表示ドライバ１７及び画像表示素子２２で画像処理手段が構成される。
【００２３】
次に、この実施形態の画像表示装置１の動作を図３に基づいて説明する。
【００２４】
図３はビデオプラグ２の接続の有無に応じた画像表示装置の動作を説明するフローチャートである。Ｓ１〜Ｓ５はそれぞれステップを示す。
【００２５】
ＣＰＵ１０はビデオプラグ検出回路１１からのビデオプラグ検出信号１１ａを入力し、ビデオプラグ２が接続されているか否かを判断する（Ｓ１）。
【００２６】
ＣＰＵ１０はビデオプラグ検出回路１１からのビデオプラグ検出信号１１ａを入力したとき（ＹＥＳ）、ＬＥＤ光源２１が点灯中であるか否かを判断する（Ｓ２）。ＬＥＤ光源２１が点灯中であると判断されたとき（ＹＥＳ）、ＣＰＵ１０はステップＳ１に戻る。
【００２７】
ステップＳ２において、ＬＥＤ光源２１が点灯中でないと判断されたとき（ＮＯ）、ＣＰＵ１０は投影用光源駆動回路１５を駆動してＬＥＤ光源２１を点灯させる（Ｓ３）。
【００２８】
ステップＳ１において、例えばビデオプラグ２が抜かれ、ビデオプラグ２が接続されていないと判断されたとき（ＮＯ）、ＣＰＵ１０は画像処理手段の少なくとも一部を省電力状態とし、ＬＥＤ光源２１が点灯しているか否かを判断する（Ｓ４）。
【００２９】
ＬＥＤ光源２１が点灯中でないと判断されたとき（ＮＯ）、ＣＰＵ１０はステップＳ１に戻る。
【００３０】
ステップＳ４において、ＬＥＤ光源２１が点灯していると判断されたとき（ＹＥＳ）、ＣＰＵ１０は投影用光源駆動回路１５を駆動してＬＥＤ光源２１を消灯させる（Ｓ５）。
【００３１】
次に、画像入力用のビデオプラグ２の有無を検出する方法を説明する。
【００３２】
図４は画像入力用のビデオプラグ２の有無を検出する検出回路の一例を示す図である。
【００３３】
検出回路はビデオプラグ２とジャック３０とで構成される。ビデオプラグ２は２極プラグである。ビデオプラグ２は画像表示装置１のジャック３０の接触端子３１を介してビデオ信号変換回路１６へ画像信号１１ｂを出力するためのチップ部２Ａと、絶縁カラー部２Ｂと、ジャック３０の接触端子３２を介してＣＰＵ１０へビデオプラグ検出信号１１ａを出力するためのリング部２Ｃとを有する。ビデオプラグ２の先端にチップ部２Ａがあり、その後側に絶縁カラー部２Ｂ、リング部２Ｃが続く。なお、ジャック３０の挿入口にはグランドに接続されたスリーブ３３が設けられている。
【００３４】
検出回路は上記のような構成であるので、ビデオプラグ２が画像表示装置１のジャック３０に挿入されたとき、あらかじめグランドに接続してあるスリーブ３３と接触端子３２とがリング部２Ｃを介して接続されることによりグランドレベルのビデオプラグ検出信号１１ａが出力され、ビデオプラグ２のジャック３０への挿入（画像表示装置１に対するビデオプラグ２の接続）を検出することができる。
【００３５】
なお、上記検出回路はビデオプラグ２をジャックに挿入したときに接触端子３２をグランドレベルにしたが、ビデオプラグ２の挿入により接触端子３２がグランドレベルから切り離されるジャックを使用するようにしてもよい。この場合、グランドレベルはビデオプラグ２の未挿入を意味する。
【００３６】
図５は画像を投影中の、画像信号の有無に応じた画像表示装置の動作を説明するフローチャートである。Ｓ１１〜Ｓ１９はそれぞれステップを示す。
【００３７】
ＣＰＵ１０はビデオ信号変換回路１６からの画像有効/無効信号１６ａを入力し、ビデオ信号（画像信号）が有効か否かを判断する（Ｓ１１）。
【００３８】
ＣＰＵ１０はビデオ信号が有効であると判断されたとき、無効回数計測用カウンタをクリアする（Ｓ１２）。
【００３９】
その後、ＬＥＤ光源２１が点灯中であるか否かを判断する（Ｓ１３）。ＬＥＤ光源２１が点灯中であると判断されたとき（ＹＥＳ）、ステップＳ１１に戻る。
【００４０】
ステップＳ１３において、ＬＥＤ光源２１が点灯中でないと判断したとき（ＮＯ）、ＣＰＵ１０は投影用光源駆動回路１５を駆動してＬＥＤ光源２１を点灯させる（Ｓ１４）。
【００４１】
ステップＳ１１において、ビデオ信号が有効でないと判断したとき（ＮＯ）、ＣＰＵ１０はＬＥＤ光源２１が点灯しているか否かを判断する（Ｓ１５）。
【００４２】
ＬＥＤ光源２１が点灯中でないと判断されたとき（ＮＯ）、ＣＰＵ１０はステップＳ１１に戻る。
【００４３】
ステップＳ１５において、ＬＥＤ光源２１が点灯していると判断されたとき（ＹＥＳ）、ＣＰＵ１０は無効回数計測用カウンタのカウント数が所定回数を経過したか否かを判断する（Ｓ１６）。
【００４４】
無効回数計測用カウンタのカウント数が所定回数を経過していないと判断されたとき（ＮＯ）、ＣＰＵ１０を無効回数計測用カウンタのカウント数を１だけ増加させ（Ｓ１７）、ステップ１１に戻る。
【００４５】
無効回数計測用カウンタのカウント数が所定回数を経過したと判断したとき（ＹＥＳ）（例えば、画像信号を送り出す機器側で再生が終了して画像信号がなくなったとき）、ＣＰＵ１０は画像処理手段の少なくとも一部を省電力状態とし、無効回数計測用カウンタをクリアする（Ｓ１８）。
【００４６】
その後、ＣＰＵ１０は投影用光源駆動回路１５を駆動してＬＥＤ光源２１を消灯させる（Ｓ１９）。なお、ステップ１８とステップ１９の順序は逆であってもよい。
【００４７】
この実施形態によれば、ビデオプラグ２が接続されていない状態又は画像信号の同期が取れていない状態において、ＬＥＤ光源２１を消灯するので無駄な電力消費を抑制することができる。この効果は、電源として電池を用いるハンディタイプの投射型表示装置にとってとりわけ有用である。また、光源としてＬＥＤを用いているため、ＬＥＤ光源２１の消灯直後であっても再点灯することができ、画像表示装置１の使用時の利便性が向上する。更に、画像信号の同期が取れていない状態が所定時間以上続いたときはＬＥＤ光源２１を消灯させるようにしたので、外部の機器（例えばビデオカメラ等）側の都合で一時的に画像信号の入力が途切れた場合に対応でき、ＬＥＤ光源２１を再び点灯させるための操作を不要にできる。また、ＬＥＤ光源２１の消灯とともに画像処理手段の少なくとも一部を省電力状態とするので、電力消費を一層抑制することができる。
【００４８】
なお、上記実施形態ではビデオプラグ２が接続されていないときや無効回数計測用カウンタのカウント数が所定回数を経過したときにＬＥＤ光源２１を消灯させたが、一旦減光してから消灯させるようにしてもよい（いきなり消灯するとユーザが故障と勘違いするおそれがある）。
【図面の簡単な説明】
【００４９】
【図１】図１はこの発明の第１実施形態に係る画像表示装置の構成を示すブロック図である。
【図２】図２は画像表示装置の使用状態を示す斜視図である。
【図３】図３はビデオプラグの接続の有無に応じた画像表示装置の動作を説明するフローチャートである。
【図４】図４は画像入力用のビデオプラグの有無を検出する検出回路の一例を示す図である。
【図５】図５は画像を投影中の、画像信号の有無に応じた画像表示装置の動作を説明するフローチャートである。
【符号の説明】
【００５０】
１：画像表示装置、２：ビデオプラグ（入力プラグ）、１０：ＣＰＵ（制御手段）、１１：ビデオプラグ検出回路（プラグ検知手段）、１６：ビデオ信号変換回路（判断手段）、１７：画像表示ドライバ、２１：ＬＥＤ光源（投影用光源）、２２：画像表示素子。
【図１】
2010008452.tif 000003
【図２】
2010008452.tif 000004
【図３】
2010008452.tif 000005
【図４】
2010008452.tif 000006
【図５】
2010008452.tif 000007